(57)【特許請求の範囲】
【請求項１】
遊技機から出力される該遊技機の動作状態を表わした状態信号に基づいて遊技機を管理する遊技機管理装置において、
所定の信号形態の状態信号を対象に遊技機の管理処理を行なう管理手段と、
遊技機から出力された状態信号を入力する入力手段と、
前記入力手段で入力した状態信号の信号形態を前記管理手段が対象とする前記所定の信号形態に変換するための前記状態信号に対する加工内容の設定を受ける設定手段と、
前記入力手段と前記管理手段との間に介在し、前記入力手段で入力した前記状態信号を前記設定手段で設定された加工内容に従って加工する信号加工手段と
を有し、
前記状態信号には、大当たりの発生によって遊技機が特賞状態になっていることを示す第１大当たり信号と、特定種類の大当たりの発生によって遊技機が確率変動状態になっていることを示す第２大当たり信号とがあり、前記管理の対象の遊技機として、前記特定種類の大当たりの場合に発生する前記特賞状態の継続期間が第１の期間の遊技機と前記第１の期間より短い第２の期間の遊技機とがあり、
前記設定手段は、少なくとも前記第１大当たり信号について、その有効／無効の判定基準となる信号継続時間の設定と、前記信号継続時間以上継続した場合に前記信号継続時間の経過前の期間を前記第１大当たり信号の有効期間として扱うか否かの設定とを受け付け、
前記信号加工手段は、前記入力手段から入力された前記第１大当たり信号が前記設定手段で設定された前記信号継続時間以上継続しない場合は前記第１大当たり信号を無効にし、前記信号継続時間以上継続した場合は前記第１大当たり信号を有効にする加工を行い、
前記管理手段は、遊技機から入力されるデータの収集に際して、前記第１大当たり信号の有効期間に入力されたデータと無効期間に入力されたデータとを区別して収集すると共に、前記加工後の第１大当たり信号が有効であって前記設定手段によって前記信号継続時間の経過前の期間を前記第１大当たり信号の有効期間として扱う設定が成されている場合は、前記入力手段から入力された前記第１大当たり信号の継続期間全体を前記第１大当たり信号の有効期間として前記収集を行い、前記設定手段によって前記信号継続時間の経過前の期間を前記第１大当たり信号の有効期間として扱わない設定が成されている場合は、前記入力手段から入力された前記第１大当たり信号の継続期間のうち前記信号継続時間の経過後の期間のみを前記第１大当たり信号の有効期間として前記収集を行う
ことを特徴とする遊技機管理装置。
【発明の詳細な説明】
【技術分野】
【０００１】
本発明は、遊技機が出力する状態信号に基づいて遊技機の管理を行なう遊技機管理装置に関する。
【背景技術】
【０００２】
パチンコ機などの遊技機の稼動状態を管理する遊技機管理装置は、遊技機が出力する各種の信号に基づいてデータを収集し、該収集したデータを蓄積し分析することで、営業に役立つ各種の情報を遊技場の管理者などに提供する機能を果たす。たとえば、遊技盤上に打ち込まれた遊技球が機外へ所定数排出される毎に入玉信号がパチンコ機の付属機器（球計数器）から出力され、賞として遊技球を所定数払い出す毎に出玉信号がパチンコ機から出力される。遊技機管理装置は、これらの信号を計数することで、打ち込まれた遊技球の数（入玉数）や賞として払い出された遊技球の数（出玉数）を把握することができる。
【０００３】
近年のパチンコ機においては、始動口への遊技球の入賞に基づいて遊技盤中央の液晶ディスプレイ上で特別図柄遊技を実行し、該特別図柄遊技で大当りが出た場合に、通常状態では閉じている大入賞口を開いて遊技球の入賞し易い特賞状態を形成する遊技機が一般的となっている。該タイプの遊技機は、特賞状態中か否かを示す特賞信号（大当り１信号）を出力するようになっており、遊技機管理装置は、出玉信号を計数する際に特賞信号のオン・オフを参照することで、特賞状態中の出玉数と非特賞状態中の出玉数とを区別して計数していた。
【０００４】
その後、所謂、確率変動状態を形成する遊技機が出現し、確率変動状態にあるか否かを示す信号（大当り２信号）が遊技機から出力されるようになった。確率変動状態とは、特別図柄遊技において特定の図柄（一般に、確変図柄と呼ぶ。）で大当りが出た場合に、該大当りに基づく特賞状態が終了してから次の大当りが出現するまでの間に実行される特別図柄遊技において大当りの出る確率が通常（低確率状態）よりも高く設定された状態（高確率状態）をいう。遊技機管理装置においては大当り２信号を利用して遊技機が確率変動状態にあるか否かを認識し、出玉数などの管理を遊技状態別にきめ細かく行なうようになっている（たとえば、特許文献１参照。）。
【０００５】
さらにその後、特別図柄遊技の所要時間（図柄の変動時間）を、大当り後の所定期間だけ通常より短くする時間短縮機能を備えた遊技機が出現した。当初は、時間短縮機能が作動している状態（時間短縮状態）を表わすために大当り２信号を兼用するものが主流であったが、時間短縮状態か否かを表わす時短中信号を別途出力する機種も登場し、大当り２信号の出し方が遊技機メーカによって様々になってきた。
【０００６】
図２１は、大当り２信号の各種の信号形態を例示している。同図の最上段に示す図柄確定信号５０１は、特別図柄遊技において遊技結果が確定表示されたことを示す信号である。図柄確定信号５０１は特別図柄遊技の実行毎に出力されるが、特賞状態中は出力されない。図柄確定信号および大当り１信号５０２の出し方は各遊技機メーカで共通している。図２１の例では、大当り１信号（特賞信号）５０２におけるパルス５０２ａ、５０２ｄは、確変図柄以外の図柄（通常図柄）での大当りに対応し、パルス５０２ｂ、５０２ｃは確変図柄による大当りに対応している。
【０００７】
Ａ社の大当り２信号であるＡ信号５０３は、特賞状態中でなくかつ通常状態でないときに出力され、Ｂ社の大当り２信号であるＢ信号５０４は、時間短縮機能が作動しているときと確率変動状態への移行を伴う特賞状態中に出力され、Ｃ社の大当り２信号であるＣ信号５０５は、通常時以外に出力されている。時短中信号５０６は、低確率状態で時間短縮機能が作動している期間に出力されている。
【０００８】
【特許文献１】特許第２７０７０２２号公報
【発明の開示】
【発明が解決しようとする課題】
【０００９】
図２１に示すように、特賞に係わる遊技状態を詳細に判別するための大当り２信号の信号形態が遊技機メーカによって相違することとなったため、特定の信号形態の大当り２信号に対応可能な遊技機管理装置では、他の信号形態の大当り２信号を出力する遊技機に関して的確なデータ収集および分析ができず、特に、信号形態の異なる様々な遊技機を遊技場に設置した場合にどのように管理するかが問題になっていた。
【００１０】
遊技機管理装置におけるデータ収集や分析はプログラムを用いたコンピュータ処理で行なわれるので、該処理に係わる基本プログラムを大当り２信号の信号形態毎にそれぞれ作成するという対応方法もあるが、この方法では複数種類の基本プログラムを開発するために多大な費用と工数を要してしまう。
【００１１】
本発明は、上記のような事情に鑑みてなされたものであり、１つの基本プログラムで様々な信号形態の状態信号に対応可能な遊技機管理装置を提供することを目的としている。
【課題を解決するための手段】
【００１２】
上記の目的は以下に示す各項の発明により達成される。
【００１３】
請求項１にかかわる発明は、遊技機から出力される該遊技機の動作状態を表わした状態信号に基づいて遊技機を管理する遊技機管理装置において、
所定の信号形態の状態信号を対象に遊技機の管理処理を行なう管理手段（２１）と、
遊技機から出力された状態信号を入力する入力手段（１５）と、
前記入力手段（１５）で入力した状態信号の信号形態を前記管理手段が対象とする前記所定の信号形態に変換するための前記状態信号に対する加工内容の設定を受ける設定手段（１３、２２）と、
前記入力手段（１５）と前記管理手段（２１）との間に介在し、前記入力手段（１５）で入力した前記状態信号を前記設定手段（１３、２２）で設定された加工内容に従って加工する信号加工手段（２３）と
を有し、
前記状態信号には、大当たりの発生によって遊技機が特賞状態になっていることを示す第１大当たり信号と、特定種類の大当たりの発生によって遊技機が確率変動状態になっていることを示す第２大当たり信号とがあり、前記管理の対象の遊技機として、前記特定種類の大当たりの場合に発生する前記特賞状態の継続期間が第１の期間の遊技機と前記第１の期間より短い第２の期間の遊技機とがあり、
前記設定手段は、少なくとも前記第１大当たり信号について、その有効／無効の判定基準となる信号継続時間の設定と、前記信号継続時間以上継続した場合に前記信号継続時間の経過前の期間を前記第１大当たり信号の有効期間として扱うか否かの設定とを受け付け、
前記信号加工手段は、前記入力手段から入力された前記第１大当たり信号が前記設定手段で設定された前記信号継続時間以上継続しない場合は前記第１大当たり信号を無効にし、前記信号継続時間以上継続した場合は前記第１大当たり信号を有効にする加工を行い、
前記管理手段は、遊技機から入力されるデータの収集に際して、前記第１大当たり信号の有効期間に入力されたデータと無効期間に入力されたデータとを区別して収集すると共に、前記加工後の第１大当たり信号が有効であって前記設定手段によって前記信号継続時間の経過前の期間を前記第１大当たり信号の有効期間として扱う設定が成されている場合は、前記入力手段から入力された前記第１大当たり信号の継続期間全体を前記第１大当たり信号の有効期間として前記収集を行い、前記設定手段によって前記信号継続時間の経過前の期間を前記第１大当たり信号の有効期間として扱わない設定が成されている場合は、前記入力手段から入力された前記第１大当たり信号の継続期間のうち前記信号継続時間の経過後の期間のみを前記第１大当たり信号の有効期間として前記収集を行う
ことを特徴とする遊技機管理装置である。
【００１４】
上記発明によれば、入力手段（１５）を通じて遊技機から入力された状態信号は、信号加工手段（２３）で加工され、信号形態が変換された後に管理手段（２１）で処理される。この際、信号加工手段（２３）は、設定手段（１３、２２）で設定された加工内容に従って状態信号を加工する。このように、遊技機から入力された状態信号の信号形態を管理手段（２１）の前段で変換するので、管理手段（２１）が対象とする信号形態と遊技機が出力する状態信号の信号形態とが異なる場合であっても管理手段（２１）に適合する信号形態に変換すれば的確なデータ収集およびデータ分析が可能になる。また、設定手段（１３、２２）で加工内容を設定できるので、１つの信号形態に対応可能な管理手段（２１）を使用しつつ、遊技機管理装置としては様々な信号形態の状態信号に対応することが可能になる。
【００１８】
さらに上記発明によれば、設定した信号継続時間より短い時間しか継続しない状態信号を無効にすることができる。また、状態信号が信号継続時間以上継続して有効と判定された場合に、該状態信号の有効期間を、判定後のみにするか判定中を含めるかを選択することができる。たとえば、近年は、大入賞口を開放する特賞状態を短時間だけ行ない、該特賞状態の終了後に確変信号をオンにする、所謂、突然確変を発生させる遊技機がある。突然確変の発生のきっかけとなった特賞状態は短時間で終了するので、この特賞状態中のデータを確率変動状態中に含めないでデータ収集したいと考える管理者がいる一方で、突然確変であっても本来の確率計算上は確率変動状態に含まれるので突然確変のきっかけとなった短時間の特賞状態を含めてデータ収集したいと考える管理者もいる。かかる突然確変のきっかけとなった特賞状態中に出力される大当り１信号（特賞信号）は数秒（たとえば、５秒）だけ継続し、通常の確率変動状態の場合に出力される時間（数十秒）に比べては充分短い。そこで、信号継続時間を適宜に設定すれば、突然確変による大当り１信号を無効とするか有効とするかを選択でき、突然確変に係わる特賞中のデータを確率変動状態中のデータに含めるか否かの選択が可能になる。
【発明の効果】
【００２６】
本発明に係わる遊技機管理装置によれば、遊技機の管理処理を行なう管理手段に対して、遊技機から入力された状態信号を信号加工手段で加工しその信号形態を変換してから供給すると共に、加工内容を設定手段で設定可能にしたので、１つの信号形態に対応可能な管理手段を使用しつつ、様々な信号形態の状態信号に対応したデータ収集が可能になる。
【発明を実施するための最良の形態】
【００２７】
以下、図面に基づき本発明の実施の形態を説明する。
【００２８】
図１は、本発明の実施の形態に係わる遊技機管理装置１０の概略構成を示している。遊技機管理装置１０は、遊技場に設置されている多数の遊技機３０からその状態を示す各種の信号を入力し、これらに基づいて遊技機に関する各種のデータを収集・蓄積し分析する機能を果たす装置である。ここでは、遊技機３０がパチンコ機の場合を例に説明する。
【００２９】
遊技機管理装置１０はＣＰＵ（Central Processing Unit）２０と、ＲＯＭ（Read Only Memory）１１と、ＲＡＭ（Random Access Memory）１２とを主要部とする情報処理装置として構成されている。ＲＯＭ１１には、遊技機管理装置１０の動作を制御するための各種プログラムや固定データが記憶されている。ＲＡＭ１２は、ＲＯＭ１１に格納されているプログラムをＣＰＵ２０が実行する際にデータを一時的に格納するためのワークメモリなどとして使用される。
【００３０】
さらに遊技機管理装置１０は入出力装置として表示部１３と、操作部１４と、信号入力部１５と、通信Ｉ／Ｆ１６とを備え、またハードディスク装置などで構成されたデータ蓄積部１７を備えている。
【００３１】
表示部１３は、液晶ディスプレイなどで構成され、収集したデータの分析結果を示す画面や、収集や分析に関する各種の設定画面が表示される。操作部１４は、キーボードやマウス（ポインティングデバイス）などで構成され、各種のユーザ操作を受け付ける。
【００３２】
信号入力部１５は、遊技機３０から出力された状態信号などの信号を入力する入力手段である。通信Ｉ／Ｆ１６は、遊技機管理装置１０を遊技場内のネットワークに接続する機能を果たす。該ネットワークにはホールコンピュータなどが接続される。
【００３３】
ＣＰＵ２０は、所定の信号形態の状態信号を対象に遊技機３０の管理処理を行なう管理処理部２１と、信号入力部１５で入力した状態信号に対する加工内容の設定を受け付ける設定部２２と、信号入力部１５と管理処理部２１との間に介在し、信号入力部１５で入力した状態信号を設定部２２で設定された加工内容に従って加工し、該状態信号の信号形態を変換する信号加工部２３としての機能を果たす。
【００３４】
図２は、遊技機３０の一例を示している。遊技機３０は、遊技機本体３０ａと、該遊技機本体３０ａで使用される遊技球を貸し出すカードユニット（遊技媒体貸出機）３０ｂとを一組にして構成されている。遊技機本体３０ａは、ハンドル３１の操作に応じて発射された遊技球が移動しながら落下する遊技領域としての遊技盤３２を備えている。遊技盤３２には、始動口３３、可変表示装置３４、大入賞口３５のほか各種の入賞口や図示省略の障害釘などが配設されている。遊技盤３２上のいずれかの入賞口に遊技球が入賞すると賞球（賞として払い出される遊技球）が受け皿３６に払い出される。また、いずれの入賞口にも入賞しなかった遊技球は遊技盤３２下部のアウト口３７から機外へ排出される。
【００３５】
可変表示装置３４は液晶ディスプレイなどの表示装置で構成されている。始動口３３への遊技球の入賞に基づいて可変表示装置３４において特別図柄遊技が表示される。特別図柄遊技は、可変表示装置３４の表示部で識別情報（図柄）がスクロール変動し、このスクロール変動が停止して最終的に確定表示された図柄の組み合わせ（表示結果）が、予め定めた特定の組み合わせ（特定表示結果）の場合に大当りになる表示遊技である。たとえば、「０」〜「９」の中の任意の数字を表わした図柄が３つ表示部で変動表示され、特定表示結果として、いわゆるスロットル遊技のように「７７７」など同一数字が揃う表示結果が確定すると大当りになる遊技が行なわれる。
【００３６】
大入賞口３５は、ソレノイド等で駆動され、その入賞口が遊技球の入賞し難い閉状態と入賞容易な開状態とに変化するように構成されている。特別図柄遊技で大当りが出ると、通常は閉じている大入賞口３５が所定回数を限度に開閉されて遊技球の入賞が容易となる特賞状態が形成される。
【００３７】
また、特別図柄遊技における大当りの種類には、特定表示結果が予め定めた確変図柄で構成されたものと、非確変図柄で構成されたものとがある。たとえば、奇数の図柄が確変図柄に、偶数の図柄が非確変図柄に設定される。特定表示結果が確変図柄で構成された大当りの場合には、確率変動状態が形成される。確率変動状態は、確変図柄で構成された大当りに基づく特賞状態（大入賞口３５の開閉動作）が終了してから次の大当りが出るまでの間に実行される特別図柄遊技において、大当りの出る確率が通常（低確率状態）よりも高く設定された遊技状態（高確率状態）である。また、遊技機３０は、特別図柄遊技の所要時間（図柄の変動時間）を大当り後の所定期間だけ通常よりも短くする時間短縮機能を備えている。
【００３８】
遊技機３０やその付属機器（球計数器）から出力されて遊技機管理装置１０の信号入力部１５に入力される信号には、入玉信号、出玉信号、始動口信号、図柄確定信号、大当り１信号、大当り２信号、時短中信号、ガラス枠開放信号などがある。
【００３９】
入玉信号は、遊技機３０の付属機器（球計数器）から出力される信号であり、遊技機３０のアウト口３７から排出される遊技球を所定数（たとえば、１０個）検知する毎に出力される。遊技機管理装置１０は入玉信号を計数することで、遊技者が遊技機３０に打ち込んだ遊技球の数（入玉数）を把握できる。出玉信号は、賞球が所定数（たとえば、１０個）払い出される毎に出力される信号である。遊技機管理装置１０は出玉信号を計数することで払い出された賞球数（出玉数）を把握できる。
【００４０】
始動口信号は、遊技球が始動口３３へ入賞する毎に出力される信号である。図柄確定信号は可変表示装置３４において特別図柄遊技が実行されその表示結果が確定表示される毎に出力される信号であるが、特賞状態中は出力されない。
【００４１】
大当り１信号は、大入賞口３５を開閉動作させる特賞状態の発生期間中に出力される状態信号である。大当り２信号は、たとえば、通常時以外に出力される状態信号であるが、先に説明したように、どのような信号形態の大当り２信号が出力されるかは遊技機メーカによって様々になっている。時短中信号にも種々あり、たとえば、低確率状態で時間短縮機能が作動している期間に出力されるものや、低確率状態中か高確率状態中かにかかわらず時間短縮機能が作動している期間に出力されるものなどがある。
【００４２】
ガラス枠開放信号は、遊技機３０の遊技盤３２を覆っているガラス枠が開放されているときに出力される信号である。
【００４３】
上記した信号は遊技機３０の出力する信号の代表的なものであり、出力される信号の種類や信号形態は、遊技機メーカ、製造された時期、機種などに依存して様々になっている。
【００４４】
図３は、遊技機管理装置１０が表示する合成設定画面４０の一例を示している。合成設定画面４０は状態信号の合成に係わる設定を行なうための画面である。合成設定画面４０は設定部２２が行なう処理に基づいて表示部１３に表示される。
【００４５】
図３に示す合成設定画面４０では横一列を単位に信号の合成設定が行なわれ、各列は合成の設定内容を示す演算式に対応している。各列の左端は、合成のベースにする状態信号（ベース信号）を選択するベース信号選択欄４１になっている。各ベース信号選択欄４１の右側には、「ａｄｄ」／「ｄｒｏｐ」の選択ボタン４２と対象信号選択欄４３とを組にしたものが３組配列されている。各状態信号は「１」、「０」の２値を取り得るデジタル信号であり、「ａｄｄ」は、ある信号に他の信号を論理和する加工をいい、「ｄｒｏｐ」は、ある信号から他の信号をドロップさせる加工をいう。
【００４６】
図３に示す合成設定画面４０の第１列４４においては、大当り１信号をベース信号とし、これに時短中信号を「ａｄｄ」した信号が加工後の大当り１信号となるように設定されている。第２列４５では、大当り２信号をベースとし、これに大当り１信号を「ａｄｄ」し、さらに時短中信号を「ｄｒｏｐ」させた信号が加工後の大当り２信号となるように設定されている。なお、図３では、「ａｄｄ」／「ｄｒｏｐ」の選択ボタン４２のうち選択されている箇所を斜線で示してある。
【００４７】
合成設定画面４０に設定した各横一列の演算は左から右へと順に実行される。したがって、たとえば、第２列４５における演算の順序を、「大当り２信号ａｄｄ大当り１信号ｄｒｏｐ時間中信号」とする場合と、「大当り２信号ｄｒｏｐ時短中信号ａｄｄ大当り１信号」とする場合では、各信号のオン期間の重複具合によっては、合成結果が相違することがある。
【００４８】
図４（ａ）は、図３の設定状態における入力信号の波形と加工後の信号の波形とを例示している。図中上段の３つの波形は入力信号としての大当り１信号５１、大当り２信号５２、時短中信号５３を示している。また、下段の２つの信号波形は加工後の大当り１信号５１ａと加工後の大当り２信号５２ａとを示している。加工後の大当り１信号５１ａは、大当り１信号５１に大当り２信号５２を「ａｄｄ」加工して得た信号である。加工後の大当り２信号５２ａは、大当り１信号５１に大当り２信号５２を「ａｄｄ」加工し、さらに時短中信号５３を「ｄｒｏｐ」加工して得た信号である。
【００４９】
「ｄｒｏｐ」加工においては、値が「１」のＨｉ信号から値が「１」のＨｉ信号を「ｄｒｏｐ」させると値「０」のＬｏ信号となり、値「０」のＬｏ信号から値「１」のＨｉ信号を「ｄｒｏｐ」させると値「０」のＬｏ信号となっている。たとえば、Ｓ１信号からＳ２信号を「ｄｒｏｐ」させる加工は、Ｓ１信号と、Ｓ２信号の否定との論理積をとる論理演算になる。図４（ｂ）は、ａｄｄ加工の真理値表５５とｄｒｏｐ加工の真理値表５６とを表している。
【００５０】
信号入力部１５を通じて遊技機３０から入力された各状態信号は合成設定画面４０における設定内容に従って信号加工部２３で加工された後、管理処理部２１でデータの収集・分析に使用される。なお、本実施の形態ではａｄｄやｄｒｏｐに係わる信号の合成処理をＣＰＵ２０で行なうようにしたが、アンド回路やノット回路などの論理回路によって実現されてもよい。すなわち、信号入力部１５の後段に信号加工手段としての論理回路を配置し、該論理回路の出力をＣＰＵ２０に入力して管理処理部２１で処理するように構成してもよい。
【００５１】
図５は、遊技機管理装置１０が表示する整形設定画面６０の一例を示している。整形設定画面６０は状態信号の整形に係わる設定を行なうための画面である。整形設定画面６０は設定部２２が行なう処理に基づいて表示部１３に表示される。
【００５２】
整形設定画面６０では横一列を単位に信号の整形設定が行なわれる。整形設定画面６０には、左端から、整形対象信号選択欄６１と、有効パルス時間設定欄６２と、信号延長設定欄６３と、取込選択欄６４と、繰返し周期設定欄６５とが配置されている。
【００５３】
整形対象信号選択欄６１では、波形整形の対象となる信号を選択する。有効パルス時間設定欄６２では、整形対象信号選択欄６１で選択された信号の有効／無効を判定するための信号継続時間（判定基準時間）を設定する。整形対象信号選択欄６１で選択された信号の継続時間が有効パルス時間設定欄６２に設定された判定基準時間未満の場合はその信号は無効とされて無視される。判定基準時間以上となった場合にその信号が有効な信号として取り扱われる。
【００５４】
取込選択欄６４では、判定基準時間以上となって有効となった信号について、その有効／無効の判定期間中を該信号の有効期間として扱うか否かを設定する。「取り込む」ボタン６４ａを選択した場合は判定基準時間の経過前の期間（判定中の期間）がその信号の有効期間に含めて扱われる。「取り込まない」ボタン６４ｂを選択した場合は判定基準時間の経過前の期間（判定中の期間）をその信号の有効期間に含めずに、判定基準時間の経過後のみが有効期間として取り扱われる。遊技機管理装置１０は、データの収集に際して、状態信号の有効期間に入力されたデータと無効期間に入力されたデータとを区別して収集するようになっており、実際には、「取り込む」「取り込まない」の選択に応じて、判定中の期間のデータを有効期間のデータとして収集するか無効期間のデータとして収集するかを切り換えている。
【００５５】
信号延長設定欄６３の延長時間設定欄６３ａには、整形対象信号選択欄６１で選択された信号がオンからオフに変化した後に該信号の有効状態（オン状態）を擬似的に延長する延長時間が設定される。信号延長設定欄６３の再延長選択欄６３ｂでは、整形対象信号選択欄６１で選択された信号がオフしてから、延長時間設定欄６３ａに設定されている延長時間の経過する前に該信号が再度オンになった場合に、該信号が次にオフになった時点から再度、延長時間を設けるか否かが選択される。再延長選択欄６３ｂの選択ボタンをオンにすると、再延長ありに設定される。
【００５６】
信号延長設定欄６３の延長回数設定欄６３ｃには、整形対象信号選択欄６１で選択された信号が有効な状態からオフした後に該信号の有効状態を擬似的に延長する延長期間を、該信号がオフしてから所定信号（延長カウント信号と呼ぶ。）の入力された回数で規定するか否かと、その回数とが設定される。詳細には、延長回数設定欄６３ｃの上段６３ｄにおいて延長カウント信号の種類を選択し、延長回数設定欄６３ｃの下段６３ｅにおいて回数を設定するようになっている。たとえば、図５に示す第３列６６では、整形対象信号選択欄６１で選択した時短中信号に対して該信号がオフした後、図柄確定信号が４回入力されるまでの間（すなわち、図柄確定回数が４回）、時短中信号の有効期間を擬似的に延長するように、同列の延長回数設定欄６３ｃにおいて設定されている。
【００５７】
繰返し周期設定欄６５では、整形対象信号選択欄６１に設定した信号が、短周期でパルスを繰り返し出力する信号形態の状態信号の場合に、リトリガ機能により、このような短周期の繰り返しパルスを連続した状態信号として取り扱うための設定が行なわれる。選択ボタン６５ａをオンにすることで上記の信号連続化機能が作動する。周期設定欄６５ｂには、パルスの繰り返し周期を設定する。周期設定欄６５ｂに設定した時間内に再度パルスが発生すると、そのパルス間を含めてオン状態の連続した信号として扱われる。
【００５８】
整形設定画面６０での設定内容に従う信号の整形処理はＣＰＵ２０の信号加工部２３によるソフトウェア処理で実現される。なお、信号入力部１５の後段にハードウェア回路を設け、該ハードウェア回路によって信号の整形処理を行なう構成としてもよい。
【００５９】
図６は、入力信号の波形と整形後の信号の波形とを各種の整形態様について示している。図６（ａ）における整形後の信号７２は、整形設定画面６０の有効パルス時間設定欄６２において判定基準時間（判定用の信号継続時間）を１０秒に設定し、信号延長設定欄６３の延長時間設定欄６３ａにおいて延長時間を０秒に設定し、取込選択欄６４において「取り込まない」を選択した場合の整形結果を示している。入力信号７１の第１パルス７１ａは信号の継続時間が９秒であり、設定されている判定基準時間の１０秒未満なので、該第１パルス７１ａは無効となり整形後の信号７２においては削除されている。入力信号７１の第２パルス７１ｂは信号の継続時間が１１秒であり、設定された判定基準時間の１０秒を超えているので、超えた分に相当する１秒間のパルス７２ａが整形後の信号７２に現われている。判定中の期間７１ｃは無効になっている。
【００６０】
図６（ａ）に示す整形後の信号７３は、上記の例に対して取込選択欄６４の設定を「取り込む」とした場合の整形結果である。整形後の信号７３では、判定中の期間７１ｃを含めたパルス７３ａが出力され、判定中の期間７１ｃも信号の有効期間として取り扱われている。
【００６１】
図６（ｂ）における整形後の信号７５は、整形設定画面６０の有効パルス時間設定欄６２において判定基準時間を１５０ｍｓに設定し、信号延長設定欄６３の延長時間設定欄６３ａにおいて延長時間を３０秒に設定し、取込選択欄６４において「取り込まない」を選択した場合の整形結果を示している。入力信号７４の第１パルス７４ａは信号の継続時間が５０ｍｓであり、設定されている判定基準時間の１５０ｍｓ未満なので無効となり、整形後の信号７５においては削除されている。入力信号７４の第２パルス７４ｂは継続時間が２００ｍｓなので、設定された判定基準時間の１５０ｍｓを超えた時点Ｔａから整形後の信号７５においてパルス７５ａの出力が開始されている。また延長時間が３０秒に設定されているので入力信号７４の第２パルス７４ｂがオフしてから３０秒が経過するまでパルス７５ａが延長されている。判定中の期間７４ｃは無効になっている。
【００６２】
図６（ｂ）に示す整形後の信号７６は、上記の例に対して取込選択欄６４の設定を「取り込む」とした場合の整形結果である。整形後の信号７６では、判定中の期間７４ｃを含めたパルス７６ａが出力され、該判定中の期間７４ｃも信号の有効期間として取り扱われている。
【００６３】
図６（ｃ）における整形後の信号７９は、整形設定画面６０の有効パルス時間設定欄６２において判定基準時間を１５０ｍｓに設定し、信号延長設定欄６３の延長回数設定欄６３ｃにおいて延長回数を２０回に設定し、取込選択欄６４において「取り込まない」を選択した場合の整形結果を示している。入力信号７８の第１パルス７８ａは信号の継続時間が５０ｍｓで判定基準時間の１５０ｍｓ未満なので無効となり、整形後の信号７９においては削除されている。入力信号７８の第２パルス７８ｂは継続時間が２００ｍｓなので、設定された判定基準時間の１５０ｍｓを超えた時点Ｔｂから整形後の信号７９においてパルス７９ａの出力が開始されている。また延長回数が２０回に設定されているので入力信号７８の第２パルス７８ｂがオフしてから計数対象の信号７７が２０パルス入力されるまでパルス７９ａが延長されている。判定中の期間７８ｃは無効になっている。
【００６４】
図７は、整形設定画面６０の繰返し周期設定欄６５における設定に基づき、短周期で繰り返す信号をリトリガ機能によって連続化した場合の信号波形の一例を示している。クロックパルス状に出力される状態信号８１の周期Ｐ１を繰返し周期設定欄６５において設定すると、図中の下段に示す整形後の信号８２のように連続した信号に形成される。これにより、クロックパルス状の状態信号８１のＬｏ期間Ｐ２も整形後の信号８２においては有効期間となり該期間Ｐ２についてもデータが収集されるようになる。
【００６５】
図８は、図２１に示したＣ信号の信号形態を持つ大当り２信号に基づいて遊技機の状態を判定する方法の一例を示している。遊技機が、所謂、フルスペック機の場合、すべての大当りで時間短縮機能が作動する。時間短縮機能は、通常、大当りに基づく特賞状態の終了後、特別図柄遊技が１００回行なわれるまで、もしくは次の大当りが出現するまで継続される。したがって、フルスペック機においては、大当り１信号がオンからオフに変化する毎に、該オフへの変化後、図柄確定信号が１００パルス入力されるまでの間、時間短縮機能が作動している。そこで、大当り１信号がオンからオフに変化してから図柄確定信号を１００パルス計数する期間（図中のＷｔの期間）が経過した後（時刻Ｔｃ）に大当り２信号をチェックする。大当り２信号がオンであれば確率変動状態にあると判定する。一方、大当り２信号がオフであれば、確率変動状態でないと判定する。
【００６６】
また、大当り１信号がオンからオフに変化してから図柄確定信号を１００パルス計数するまでの期間を時間短縮機能の作動期間と判定する。図８では、大当り２信号に斜線を施した部分が時間短縮機能の作動期間である。
【００６７】
なお、確変図柄で大当りが出た場合および確率変動状態が終了したときに時間短縮機能が作動する、所謂、ハーフスペック機と、すべての大当りで時間短縮機能が作動するフルスペック機とが遊技場に混在している場合には、大当り１信号がオンからオフに変化したときに大当り２信号をチェックし、大当り２信号がオンであれば、大当り１信号がオフしてから図柄確定信号が１００パルス入力されるまでの期間を時間短縮機能の作動中と判定すればよい。一方、大当り１信号がオンからオフに変化した直後に大当り２信号がオフであれば、今回の大当りがハーフスペック機における非確変図柄での大当りであって時間短縮機能が作動していないと判定すればよい。
【００６８】
図９は、大当り２信号が図２１のＡ信号の信号形態である場合に、これを信号加工部２３によってＣ信号に変換する様子を示している。大当り１信号９１のうちパルス９１ａおよびパルス９１ｄは非確変図柄（通常図柄）での大当りに対応し、パルス９１ｂおよびパルス９１ｃは確変図柄での大当りに対応している。
【００６９】
Ａ信号（大当り２信号）９２に大当り１信号９１をａｄｄすることにより、変換後の大当り２信号９４は図２１のＣ信号と同じ信号形態になっている。このように信号形態を変換することで、遊技機管理装置１０は、Ｃ信号の信号形態を対象に管理処理を行なう管理処理部２１を使用しつつ、Ａ信号の信号形態で大当り２信号を出力する遊技機に対応することができる。なお、大当り２信号９２から時短中信号９３をｄｒｏｐすることにより、低確率状態以外の期間を示す信号９５を得ることもできる。
【００７０】
図１０は、大当り２信号が図２１のＢ信号の信号形態である場合に、これを信号加工部２３によってＣ信号に変換する様子を示している。図９と同様に、大当り１信号９１のうちパルス９１ａおよびパルス９１ｄは非確変図柄（通常図柄）での大当りに対応し、パルス９１ｂおよびパルス９１ｃは確変図柄での大当りに対応している。
【００７１】
Ｂ信号（大当り２信号）９６に大当り１信号９１をａｄｄすることにより、変換後の大当り２信号９７は図２１のＣ信号と同じ信号形態になっている。このように信号形態を変換することで、遊技機管理装置１０は、Ｃ信号の信号形態を対象に管理処理を行なう管理処理部２１を使用しつつ、Ｂ信号の信号形態で大当り２信号を出力する遊技機にも対応することができる。なお、大当り２信号９６から大当り１信号９１と時短中信号９３とをｄｒｏｐすることにより、低確率状態以外の期間を示す信号９８を得ることもできる。
【００７２】
次に、遊技機管理装置１０が行なうデータ収集動作について説明する。
【００７３】
図１１および図１２は、Ｃ信号の信号形態の大当り２信号を対象とした管理処理部２１が行なうデータ収集処理の流れを示している。また、図１３は、該データ収集処理でのファイルの生成状況を時系列に示している。なお、大当り２信号の信号形態がＣ信号と相違する場合は、管理処理部２１で処理する前に信号加工部２３によってＣ信号の信号形態に変換されているものとする。また、時短中信号は入力されていないものとする。
【００７４】
データ収集処理は、大当り信号１がオンになるのを待ち（ステップＳ１０１；Ｎ）、大当り１信号がオンになると（ステップＳ１０１；Ｙ）、一時ファイルＦ１を作成し（ステップＳ１０２）、大当り１信号がオフになるまで（ステップＳ１０３；Ｎ）、一時ファイルＦ１に当り中のデータを収集する。たとえば、出玉信号を計数し、該計数値を当り中の出玉数を表わすデータとして収集する。この処理により作成される一時ファイルＦ１は図１３の例においては、大当り１信号のオン期間である時刻Ｔ１から時刻Ｔ２の間のデータを収集した一時ファイルＦ１（２０１）、もしくは時刻Ｔ４から時刻Ｔ５の間のデータを収集した一時ファイルＦ１（２０３）が該当する。
【００７５】
大当り１信号がオフになったら（ステップＳ１０３；Ｙ）、その時点で大当り２信号がオンか否かを調べる（ステップＳ１０４）。大当り２信号がオフの場合は（ステップＳ１０４；Ｎ）、現在の遊技状態は時間短縮状態でも確率変動状態でもないので、一時ファイルＦ１を通常当りファイル（確率変動状態でない特賞状態中のデータを収集するファイル）に変更し確定させて（ステップＳ１０５）、処理を終了する（エンド）。なお、確定させたファイルは、日時や遊技機、遊技島などの識別情報を付加してデータ蓄積部１７に蓄積保存する。
【００７６】
大当り１信号がオフになった時点で（ステップＳ１０３；Ｙ）大当り２信号がオンの場合は（ステップＳ１０４；Ｙ）、一時ファイルＦ２を作成し、該一時ファイルＦ２に以後のデータを収集する（ステップＳ１０６）。大当り１信号がオフになった時点で大当り２信号がオンの場合は、遊技状態が時間短縮状態または確率変動状態のいずれかであるので、一時ファイルＦ２には時間短縮状態中または確率変動状態中のデータが収集される。
【００７７】
その後、大当り１信号が再びオンになる前に大当り２信号がオフになったときは（ステップＳ１０７；Ｎ、Ｓ１０８；Ｙ）、確率変動状態でないと判断できるので、一時ファイルＦ１を通常当りファイルに変更して確定させると共に、一時ファイルＦ２を時短中ファイルに変更して確定させる（ステップＳ１０９）。時短中ファイルは確率変動状態中でない時間短縮状態中に収集したデータを格納したファイルである。図１３の例では、時刻Ｔ３に時刻Ｔ１から時刻Ｔ２にかけてデータを収集した一時ファイルＦ１（２０１）を通常当りファイル（２０９）に変更して確定させると共に、時刻Ｔ２から時刻Ｔ３にかけてデータを収集した一時ファイルＦ２（２０２）を時短中ファイル２１０に変更して確定させている。
【００７８】
大当り２信号が再びオフになる前に大当り１信号が再度オンになったときは（ステップＳ１０７；Ｙ）、空のファイルとして確変ファイルを作成し（ステップＳ１１０）、一時ファイルＦ１に収集したデータを確変当り中データとして確変ファイルに格納すると共に、一時ファイルＦ２に収集したデータを確変中データとして確変ファイルに格納する（図１２、ステップＳ１１１）。確変当り中データは確率変動状態中でかつ特賞状態中のときに収集したデータであり、確変中データは確率変動状態中でかつ特賞状態中でないときに収集したデータである。
【００７９】
図１３の例では、時刻Ｔ６に空の確変ファイル２１１を作成し、時刻Ｔ４から時刻Ｔ５にかけて一時ファイルＦ１（２０３）に収集したデータを確変当り中データ２１２として確変ファイル２１１に格納する。また、時刻Ｔ５から時刻Ｔ６にかけて一時ファイルＦ２（２０４）に収集したデータを確変中データ２１３として確変ファイル２１１に格納している。
【００８０】
また、大当り１信号がオンになったので、新たな一時ファイルＦ１を作成し（ステップＳ１１２）、大当り１信号が次にオフになるまで（ステップＳ１１３；Ｎ）、一時ファイルＦ１に当り中のデータを収集する（ステップＳ１１２）。図１３の例では、時刻Ｔ６から時刻Ｔ７にかけてデータを収集した一時ファイルＦ１（２０５）、もしくは時刻Ｔ８から時刻Ｔ９にかけてデータを収集した一時ファイルＦ１（２０７）が該当する。
【００８１】
大当り１信号がオフになったら（ステップＳ１１３；Ｙ）、その時点で大当り２信号がオンか否かを調べ（ステップＳ１１４）、大当り２信号がオフの場合は（ステップＳ１１４；Ｎ）、一時ファイルＦ１を確変中普通図柄当りのデータとして確変ファイル２１１に格納して（ステップＳ１１５）処理を終了する（エンド）。
【００８２】
大当り１信号がオフになった時点で（ステップＳ１１３；Ｙ）大当り２信号がオンの場合は（ステップＳ１１４；Ｙ）、現在の遊技状態が時間短縮状態または確率変動状態のいずれかであると判断でき、一時ファイルＦ２を作成し、該一時ファイルＦ２に以後のデータを収集する（ステップＳ１１６）。
【００８３】
その後、大当り２信号が再びオフになる前に大当り１信号が再度オンになったときは（ステップＳ１１７；Ｙ）、一時ファイルＦ１に収集したデータを確変当り中データとして確変ファイルに追加格納すると共に、一時ファイルＦ２に収集したデータを確変中データとして確変ファイルに追加格納する（ステップＳ１１１）。
【００８４】
図１３の例では、大当り２信号が再びオフになる前に大当り１信号が時刻Ｔ８に再度オンになり、時刻Ｔ６から時刻Ｔ７にかけて一時ファイルＦ１（２０５）に収集したデータを確変当り中データ２１４として確変ファイル２１１に追加格納している。また、時刻Ｔ７から時刻Ｔ８にかけて一時ファイルＦ２（２０６）に収集したデータを確変中データ２１５として確変ファイル２１１に追加格納している。
【００８５】
大当り１信号が再びオンになる前に大当り２信号がオフになったときは（ステップＳ１１７；Ｎ、Ｓ１１８；Ｙ）、一時ファイルＦ１に収集したデータを確変中普通図柄当りのデータとして確変ファイルに追加格納し（ステップＳ１１９）、一時ファイルＦ２に収集したデータを時短中ファイルに変更し確定させて（ステップＳ１２０）処理を終了する（エンド）。
【００８６】
図１３の例では、大当り１信号が再びオンになる前に大当り２信号が時刻Ｔ１０にオフになり、時刻Ｔ８から時刻Ｔ９にかけて一時ファイルＦ１（２０７）に収集したデータを確変中普通図柄当りのデータ２１６として確変ファイル２１１に追加格納している。また時刻Ｔ９から時刻Ｔ１０にかけて一時ファイルＦ２（２０８）に収集したデータを時短中ファイル２１７に変更して確定させている。
【００８７】
上記のようなデータ収集処理を行なうことで、Ｃ信号の信号形態による大当り２信号が出力されている期間（通常状態以外の期間）のデータを、通常当り、時短中、確変当り中、確変中、確変中普通図柄当りに区分して認識され、遊技状態別に様々なデータ分析を行なうことが可能になっている。
【００８８】
次に、各種の信号整形処理について説明する。
【００８９】
図１４は、整形設定画面６０の信号延長設定欄６３における設定内容に従って信号加工部２３が行なう信号延長処理の流れを示している。処理対象の状態信号がＬｏ（オフ）からＨｉ（オン）になると（ステップＳ３０１；Ｙ）、データ収集を開始する（ステップＳ３０２）。
【００９０】
次に、処理対象の状態信号に対して整形設定画面６０の信号延長設定欄６３において延長設定がなされているか否かを調べる（ステップＳ３０３）。延長設定がなされていない場合は（ステップＳ３０３；Ｎ）、信号がＨｉからＬｏに変化するまで待ち（ステップＳ３０４；Ｎ）、Ｌｏに変化したら（ステップＳ３０４；Ｙ）、該処理対象の信号に関するデータ収集を終了させて（ステップＳ３１７）本処理を終了する（エンド）。
【００９１】
延長設定がなされている場合は（ステップＳ３０３；Ｙ）、処理対象の状態信号がＨｉからＬｏに変化するのを待ち（ステップＳ３０５；Ｎ）、Ｌｏに変化したら（ステップＳ３０５；Ｙ）、該処理対象の状態信号について整形設定画面６０で設定されている延長設定が時間単位か回数単位かを調べる（ステップＳ３０６）。時間単位の場合は（ステップＳ３０６；Ｙ）、該処理対象の状態信号に関して整形設定画面６０の延長時間設定欄６３ａで設定されている時間分の延長タイマをセットする（ステップＳ３０７）。
【００９２】
次に、処理対象の状態信号に関して整形設定画面６０の信号延長設定欄６３において「再延長あり」の設定がなされているか否かを調べ（ステップＳ３０８）、設定されていない場合は（ステップＳ３０８；Ｎ）、先にセットした延長タイマがタイムアップした時点で（ステップＳ３０９；Ｙ）データ収集を終了させて（ステップＳ３１７）本処理を終了する（エンド）。これにより、処理対象の状態信号がオフしてから延長時間分だけ該信号の有効期間が延長されたことになる。
【００９３】
「再延長あり」の設定がなされている場合は（ステップＳ３０８；Ｙ）、延長タイマがタイムアップする前に処理対象の信号がＬｏから再びＨｉになるか否かを監視し（ステップＳ３１０、Ｓ３１１）、タイムアップ前にＬｏからＨｉに変化したときは（ステップＳ３１０；Ｙ）、さらにＨｉからＬｏに変化するのを待ち（ステップＳ３１２；Ｎ）、Ｌｏに変化したら（ステップＳ３１２；Ｙ）ステップＳ３０７に戻って再度、延長タイマをセットする。処理対象の状態信号がＬｏから再びＨｉになる前に延長タイマがタイムアップしたときは（ステップＳ３１１；Ｙ）、データ収集を終了させて（ステップＳ３１７）本処理を終了する（エンド）。
【００９４】
延長設定が回数単位で設定されている場合は（ステップＳ３０６；Ｎ）、処理対象の信号について信号延長設定欄６３の上段６３ｄで指定された延長カウント信号を計数対象とし、かつ延長回数設定欄６３ｃの下段６３ｅで設定された回数を変数ｎにセットする（ステップＳ３１３）。そして、延長カウント信号がオンする毎に変数ｎを「−１」し（ステップＳ３１４；Ｙ、Ｓ３１５）、変数ｎが「０」になったら（ステップＳ３１６；Ｙ）、データ収集を終了させて（ステップＳ３１７）本処理を終了する（エンド）。これにより、処理対象の状態信号がオフしてから延長カウント信号が設定された回数入力されるまでの間、処理対象の状態信号の有効期間が延長されたことになる。
【００９５】
図１５は、整形設定画面６０の有効パルス時間設定欄６２および取込選択欄６４における設定内容に従って信号加工部２３が行なう信号有効判定処理の流れを示している。図１６、図１７は、信号有効判定処理でのファイルの生成状況を時系列に示しており、図１６は、判定中を「取り込まない」と設定した場合を、図１７は「取り込む」と設定した場合を示している。
【００９６】
整形設定画面６０で設定された処理対象の状態信号がオンすると（ステップＳ３４１；Ｙ）、信号継続時間判定用のタイマをセットする（ステップＳ３４２）。該タイマには、処理対象の状態信号に対して整形設定画面６０の有効パルス時間設定欄６２で設定された判定基準時間をセットする。このとき同時に一時ファイルＦａを作成し、該一時ファイルＦａにデータを収集する（ステップＳ３４３）。信号継続時間判定用のタイマがタイムアップする前に処理対象の状態信号がオフしたときは（ステップＳ３４４；Ｎ）、一時ファイルＦａを通常データとしてデータ蓄積部１７に記憶して（ステップＳ３４５）本処理を終了する（エンド）。
【００９７】
図１６の例では、時刻Ｔ１に処理対象の状態信号３６０の第１パルス３６０ａがオンになって一時ファイルＦａ（３６２）を作成し、該一時ファイルＦａ（３６２）に対してデータの収集を開始する。しかし、判定基準時間Ｈが経過する前の時刻Ｔ２に第１パルス３６０ａがオフになったので、一時ファイルＦａ（３６２）を通常データ３６３としてデータ蓄積部１７に記憶している。
【００９８】
一方、処理対象の状態信号がオフする前に信号継続時間判定用のタイマがタイムアップしたときは（ステップＳ３４６；Ｙ）、判定中の期間を有効期間として取り込むか否かの設定を調べ（ステップＳ３４７）、「取り込まない」と設定されているときは（ステップＳ３４７；Ｎ）、一時ファイルＦａを通常データとして記憶し（ステップＳ３４８）、さらに真のデータファイルＦｔを作成し、以後のデータを該真のデータファイルＦｔに収集する（ステップＳ３４９）。
【００９９】
図１６の例では、処理対象の状態信号３６０の第２パルス３６０ｂに対応して時刻Ｔ３に作成されてデータの収集が行なわれた一時ファイルＦａ（３６４）は、第２パルス３６０ｂが継続している間に判定基準時間Ｈが経過したので（時刻Ｔ４）、時刻Ｔ３から時刻Ｔ４にかけて一時ファイルＦａ（３６４）に収集したデータを通常データ３６５として記憶している。また、時刻Ｔ４に真のデータファイルＦｔ（３６６）を作成し、それ以後は、真のデータファイルＦｔ（３６６）にデータを収集している。
【０１００】
判定期間中のデータを「取り込む」との設定がなされているときは（ステップＳ３４７；Ｙ）、一時ファイルＦａを真のデータファイルＦｔに変更し、以後のデータを該真のデータファイルＦｔに収集する（ステップＳ３５０）。
【０１０１】
図１７の例では、処理対象の状態信号３７０の第２パルス３７０ｂに対応して時刻Ｔ３に作成されてデータの収集が行なわれた一時ファイルＦａ（３７２）は、判定基準時間Ｈが経過した時刻Ｔ４に真のデータファイルＦｔ（３７３）に変換され、以後のデータは真のデータファイルＦｔ（３７３）に収集されている。
【０１０２】
処理対象の状態信号のパルスがオフするまで真のデータファイルＦｔに対してデータの収集が継続され（ステップＳ３５１；Ｙ）、該状態信号がオフすると（ステップＳ３５１；Ｎ）、延長設定の有無を確認し（ステップＳ３５２）、延長設定がないときは（ステップＳ３５２；Ｎ）、データ収集を終了させて本処理を終了する（エンド）。延長設定がなされているときは（ステップＳ３５２；Ｙ）、図１４に示す延長処理を実行した後（ステップＳ３５３）本処理を終了する（エンド）。延長処理では真のデータファイルＦｔにデータが収集される。
【０１０３】
図１８は、整形設定画面６０の繰返し周期設定欄６５における設定内容に従って信号加工部２３が行なうパルス連続化処理の流れを示している。図１９は、パルス連続化処理におけるファイル操作を時系列に示したものである。処理対象のパルス信号がオンすると（ステップＳ４０１；Ｙ）、ファイルＤ１を作成し（ステップＳ４０２）、該ファイルＤ１に対してデータの収集を開始する（ステップＳ４０３）。処理対象のパルス信号について整形設定画面６０の周期設定欄６５ｂに設定された時間を所定のタイマに設定する（ステップＳ４０４）。なお、周期設定欄６５ｂには実際のパルスの周期より若干長い時間を設定しておくとよい。
【０１０４】
その後、処理対象のパルス信号がオフするまでファイルＤ１へのデータ収集を継続し（ステップＳ４０５；Ｎ）、処理対象のパルス信号がオフしたら（ステップＳ４０５；Ｙ）一時ファイルＤ２を作成し、該一時ファイルＤ２に対してデータの収集を開始する（ステップＳ４０６）。
【０１０５】
タイマがタイムアップする前に処理対象のパルス信号が再度オンすると（ステップＳ４０７；Ｙ）、一時ファイルＤ２のデータをファイルＤ１に加算し、一時ファイルＤ２をクリアし（ステップＳ４０８）、その後はステップＳ４０３に戻って、ファイルＤ１にデータ収集する。図１９のファイルＤ１のうち斜線部分はファイルＤ１に対して直接データ収集した部分を示し、白抜きの部分は一時ファイルＤ２のデータを加算した部分を示している。
【０１０６】
処理対象のパルス信号が再度オンする前にタイマがタイムアップしたときは（ステップＳ４０９；Ｙ）、ファイルＤ１を該処理対象の信号の有効期間中のデータとして記憶し（ステップＳ４１０）、一時ファイルＤ２のデータを通常データとして記憶して（ステップＳ４１１）処理を終了する。図１９の例では、最後の一時ファイルＤ２（４２１）に収集したデータは、通常のデータとして扱われる。したがって、信号連続化処理を行なうことで、処理対象のパルス信号４２０に代えて連続的な信号４２２が入力された場合と同じ期間に渡ってデータが収集される。
【０１０７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０８】
たとえば、実施の形態では遊技機管理装置１０に遊技機の管理に関する機能を集約するように構成したが、遊技場内の複数の機器に遊技機管理装置１０の機能を分散配置してもかまわない。図２０は、遊技機管理装置１０の機能をシステム内の各機器に分散させた遊技場管理システム４５０の構成例を示している。遊技場内には、遊技機３０を多数並設収容した遊技島が複数形成されており、各遊技島には、その島内の機器と外部機器との中継機能等を果たす島コントローラ４５１が配置されている。
【０１０９】
島コントローラ４５１には、遊技島内の通信路を介して複数の台コントローラ４６０が接続され、各台コントローラ４６０の配下には、遊技機本体３０ａ、カードユニット３０ｂおよび球計数器４５２などが接続されている。球計数器４５２は、遊技機３０のアウト口３７から機外に排出された球を計数して入玉信号を出力する装置である。台コントローラ４６０は、配下に接続された遊技機３０や球計数器４５２の動作や各種信号の送受信を検知、監視、制御する機能を果たす。
【０１１０】
各島コントローラ４５１は、ＬＡＮ（Local Area Network ）を基幹とするＨＡＬＬ情報ネットワーク４５３と接続され、このＨＡＬＬ情報ネットワーク４５３にホール管理端末機４５４、ホール管理コンピュータ４７０、景品管理端末機４５５、ＰＯＳ装置４５６、情報表示端末機４５７などが接続されている。
【０１１１】
このようなシステムにおいて、図１の遊技機管理装置１０における管理処理部２１や設定部２２の機能をホール管理コンピュータ４７０に具備させ、各台コントローラ４６０に、図１の遊技機管理装置１０における信号入力部１５や信号加工部２３の機能を具備させる。信号の合成や波形の整形に係わる設定はホール管理コンピュータ４７０において行なわれる。各台コントローラ４６０には、ホール管理コンピュータ４７０の設定部２２で設定された信号の合成や整形に係わる情報をホール管理コンピュータ４７０から受信して内部設定するための設定受信部４６１が設けられる。
【０１１２】
各台コントローラ４６０は、配下の遊技機３０が出力する状態信号や球計数器４５２が出力する信号を信号入力部１５から入力し、これらの信号を設定受信部４６１で受信した設定内容に従って信号加工部２３によって加工し、加工後の状態信号に基づいて出玉信号や入玉信号に係わるデータを収集する。各台コントローラ４６０で収集したデータは、島コントローラ４５１およびＨＡＬＬ情報ネットワーク４５３を通じてホール管理コンピュータ４７０に収集され、管理処理部２１によって分析される。
【０１１３】
このように信号加工部の機能を台コントローラ４６０でそれぞれ行なうことにより、多数の遊技機３０に対する信号の加工を各台コントローラ４６０で分散して行なうことができ、信号加工のための負荷がホール管理コンピュータ４７０に集中することなく、遊技場管理システム４５０としての効率的な動作が確保される。
【０１１４】
このほか、実施の形態では、管理処理部２１が、Ｃ信号の信号形態を有する大当り２信号を対象にデータ収集処理を行なう場合を例示したが、Ａ信号やＢ信号などその他の信号形態を処理対象としたものであってもかまわない。いずれにせよ、入力された状態信号が管理処理部２１が対象としている信号形態に変換されるように信号の合成設定を行なえばよい。
【０１１５】
実施の形態では、パチンコ機を管理対象の遊技機として説明したが、遊技状態を示す状態信号が出力される遊技機であれば、他の種類の遊技機でもかまわない。
【０１１６】
状態信号の合成は、実施の形態で示したａｄｄ加工とｄｒｏｐ加工に限定されず、たとえば、論理演算におけるＡＮＤ（論理積）、ＸＯＲ（排他的論理和）やその他の演算でもよい。
【０１１７】
また、実施の形態では、出玉信号に関するデータを遊技状態別に収集する例を示したが、収集するデータの対象はこれに限定されない。たとえば、入玉信号と出玉信号とのそれぞれについてデータを収集してもよいし、他の信号でもかまわない。
【０１１８】
なお、信号の合成や整形に係わる設定は、遊技機別、機種別、遊技島別など、個別あるいはグループ別に行なうことができるようになっている。
【図面の簡単な説明】
【０１１９】
【図１】本発明の実施の形態に係わる遊技機管理装置の概略構成を示すブロック図である。
【図２】本発明の実施の形態に係わる遊技機管理装置が管理対象とする遊技機の一例を示す正面図である。
【図３】本発明の実施の形態に係わる遊技機管理装置が表示する合成設定画面の一例を示す正面図である。
【図４】図３の合成設定画面に示す設定状態における入力信号と加工後の信号とを対比して示す波形図である。
【図５】本発明の実施の形態に係わる遊技機管理装置が表示する整形設定画面の一例を示す正面図である。
【図６】入力信号波形と整形後の信号波形とを対比して示す波形図である。
【図７】短周期で繰り返す信号波形と連続信号への整形後の信号波形とを対比して示す波形図である。
【図８】大当り２信号がＣ信号の信号形態である場合における遊技状態の判定方法を示す説明図である。
【図９】Ａ信号の信号形態を有する大当り２信号をＣ信号の信号形態に変換する場合の信号の合成状況を示す説明図である。
【図１０】Ｂ信号の信号形態を有する大当り２信号をＣ信号の信号形態に変換する場合の信号の合成状況を示す説明図である。
【図１１】本発明の実施の形態に係わる遊技機管理装置の管理処理部が行なうデータ収集処理を示す流れ図である。
【図１２】図１１の続きを示す流れ図である。
【図１３】データ収集処理におけるファイルの生成状況を時系列に示す説明図である。
【図１４】本発明の実施の形態に係わる遊技機管理装置の信号加工部が行なう信号延長処理を示す流れ図である。
【図１５】本発明の実施の形態に係わる遊技機管理装置の信号加工部が行なう信号有効判定処理を示す流れ図である。
【図１６】信号有効判定処理におけるファイルの生成状況を時系列に示す説明図である（判定中を取り込まない場合）。
【図１７】信号有効判定処理におけるファイルの生成状況を時系列に示す説明図である（判定中を取り込む場合）。
【図１８】本発明の実施の形態に係わる遊技機管理装置の信号加工部が行なうパルス連続化処理を示す流れ図である。
【図１９】パルス連続化処理におけるファイル操作を時系列に示す説明図である。
【図２０】遊技機管理装置の機能が分散配置された遊技場管理システムの構成を示す説明図である。
【図２１】大当り２信号の各種の信号形態を示す波形図である。
【符号の説明】
【０１２０】
１０…遊技機管理装置
１１…ＲＯＭ
１２…ＲＡＭ
１３…表示部
１４…操作部
１５…信号入力部
１６…通信Ｉ／Ｆ
１７…データ蓄積部
２０…ＣＰＵ
２１…管理処理部
２２…設定部
２３…信号加工部
３０…遊技機
３０ａ…遊技機本体
３０ｂ…カードユニット
３１…ハンドル
３２…遊技盤
３３…始動口
３４…可変表示装置
３５…大入賞口
３６…受け皿
３７…アウト口
４０…合成設定画面
４１…ベース信号選択欄
４２…選択ボタン
４３…対象信号選択欄
５５…ａｄｄ加工の真理値表
５６…ｄｒｏｐ加工の真理値表
６０…整形設定画面
６１…整形対象信号選択欄
６２…有効パルス時間設定欄
６３…信号延長設定欄
６３ａ…延長時間設定欄
６３ｂ…再延長選択欄
６３ｃ…延長回数設定欄
６４…取込選択欄
６４ａ…「取り込む」ボタン
６４ｂ…「取り込まない」ボタン
６５…繰返し周期設定欄
６５ａ…選択ボタン
６５ｂ…周期設定欄
４５０…遊技場管理システム
４５１…島コントローラ
４５２…球計数器
４５３…ＨＡＬＬ情報ネットワーク
４６０…台コントローラ
４６１…設定受信部
４７０…ホール管理コンピュータ
【図１】
0004425207.tif 000002
【図２】
0004425207.tif 000003
【図３】
0004425207.tif 000004
【図４】
0004425207.tif 000005
【図５】
0004425207.tif 000006
【図６】
0004425207.tif 000007
【図７】
0004425207.tif 000008
【図８】
0004425207.tif 000009
【図９】
0004425207.tif 000010
【図１０】
0004425207.tif 000011
【図１１】
0004425207.tif 000012
【図１２】
0004425207.tif 000013
【図１３】
0004425207.tif 000014
【図１４】
0004425207.tif 000015
【図１５】
0004425207.tif 000016
【図１６】
0004425207.tif 000017
【図１７】
0004425207.tif 000018
【図１８】
0004425207.tif 000019
【図１９】
0004425207.tif 000020
【図２０】
0004425207.tif 000021
【図２１】
0004425207.tif 000022